(57)【要約】【課題】一対のプラグの抜け防止性能を向上させるとともに接続を解除しやすくすることができる抜け防止部材、及び、該抜け防止部材を備えた感震アダプタを提供すること。【解決手段】接着部１２が接着面１２１に交差する方向を軸方向として回動可能に支持されていることで、接着層１２１Ａの接着強さを高めても、接着部１２を回動させることにより接着層１２１Ａを周辺部Ｗ１から容易に剥離することができる。従って、一対のプラグＰ１、Ｐ２の抜け防止性能を向上させるとともに接続を解除しやすくすることができる。【選択図】図１
2016081618.tif 000002
【特許請求の範囲】
【請求項１】
建物の躯体または電装部品箱の筐体に設けられた第１プラグと、該躯体または該筐体内の電気回路に接続される被接続部品に設けられた第２プラグと、の接続が解除されることを防止する抜け防止部材であって、
前記被接続部品を支持する支持部と、
前記躯体または前記筐体における前記第１プラグの周辺部に接着される接着面を有した接着部と、を備え、
前記接着部が、前記接着面に交差する方向を軸として回動可能に設けられていることを特徴とする抜け防止部材。
【請求項２】
前記接着部には、前記接着面と反対側の面に、該接着面に沿った方向に延びる溝部が形成されていることを特徴とする請求項１に記載の抜け防止部材。
【請求項３】
前記被接続部品は、端部に設けられた前記第２プラグと、該第２プラグから延びる電線部と、を有する電線部材であって、
前記支持部は、前記第１プラグとの間に前記第２プラグを挟み込む押え部を有し、
前記押え部には、前記電線部が通過可能な切欠き部が形成されていることを特徴とする請求項１又は２に記載の抜け防止部材。
【請求項４】
振動を検知して内部の電気回路を切断するとともに差し込みプラグを備えた感震切断部材と、建物の躯体に設けられたプラグ受けと前記差し込みプラグとの接続が解除されることを防止する抜け防止部材と、を備えた感震アダプタであって、
前記感震切断部材が、前記差し込みプラグと、他の電気部品に設けられた差し込みプラグが接続可能なプラグ受けと、当該感震切断部材の差し込みプラグと当該感震切断部材のプラグ受けとを接続する回路部と、加速度を検知して前記回路部を電気的に切断する切断部と、を有し、
前記抜け防止部材が、請求項１又は２に記載された抜け防止部材で構成され、前記感震切断部材が前記被接続部品に相当し、前記躯体に設けられたプラグ受けが前記第１プラグに相当し、前記感震切断部材の差し込みプラグが前記第２プラグに相当することを特徴とする感震アダプタ。
【発明の詳細な説明】
【技術分野】
【０００１】
本発明は、一対のプラグ同士の接続が解除されることを防止する抜け防止部材、及び、該抜け防止部材を備えた感震アダプタに関する。
【背景技術】
【０００２】
従来、一対のプラグ同士の接続が解除されることを防止する抜け防止部材として、ＵＳＢ（Universal Serial Bus）端子用の抜け防止装置が提案されている（例えば、特許文献１参照）。特許文献１に記載された従来の抜け防止装置では、差し込みプラグに対して傾斜した部分を有する嵌合板を用い、この嵌合板を差し込みプラグとともにプラグ受けに挿入することで、嵌合板の弾性によって差し込みプラグをプラグ受けから抜けにくくしている。
【先行技術文献】
【特許文献】
【０００３】
【特許文献１】特開２０１０−２１０７０号公報
【発明の概要】
【発明が解決しようとする課題】
【０００４】
しかしながら、特許文献１に記載された従来の抜け防止装置では、抜け防止性能を高めようとすると、差し込みプラグをプラグ受けに挿入しにくくなってしまうとともに、接続を解除したい場合に、差し込みプラグを引く抜くための力が大きくなってしまうという不都合があった。また、差し込みプラグを備えた部品とプラグ受けを備えた部品とを接着することによってプラグ抜けを防止する構成も考えられるが、抜け防止性能を高めるためには接着力を高める必要があり、接続を解除したい場合に剥離しにくくなってしまい、抜け防止性能と接続の解除のしやすさとを両立させることが困難であった。
【０００５】
本発明の目的は、一対のプラグの抜け防止性能を向上させるとともに接続を解除しやすくすることができる抜け防止部材、及び、該抜け防止部材を備えた感震アダプタを提供することにある。
【課題を解決するための手段】
【０００６】
本発明の抜け防止部材は、建物の躯体または電装部品箱の筐体に設けられた第１プラグと、該躯体または該筐体内の電気回路に接続される被接続部品に設けられた第２プラグと、の接続が解除されることを防止する抜け防止部材であって、前記被接続部品を支持する支持部と、前記躯体または前記筐体における前記第１プラグの周辺部に接着される接着面を有した接着部と、を備え、前記接着部が、前記接着面に交差する方向を軸として回動可能に設けられていることを特徴とする。
【０００７】
以上のような本発明によれば、抜け防止部材が、支持部によって被接続部品を支持するとともに、接着部において躯体または筐体の周辺部に接着されることで、接着面の接着強さを適宜に設定することにより、第１プラグと第２プラグとの接続の解除を防止することができる。さらに、接着部が接着面に交差する方向を軸方向として回動可能に設けられていることで、接着面が周辺部に接着された状態において接着部を回動させることにより、接着面を周辺部から容易に剥離することができる。このとき、接着面の接着強さを高めて剥離に必要な面直方向の力を大きくしても、接着部を回動させることによって容易に剥離することができ、一対のプラグの抜け防止性能を向上させるとともに接続を解除しやすくすることができる。
【０００８】
この際、本発明の抜け防止部材では、前記接着部には、前記接着面と反対側の面に、該接着面に沿った方向に延びる溝部が形成されていることが好ましい。このような構成によれば、硬貨やドライバー等によって溝部を操作して接着部を回動させることができ、容易に接着面を剥離することができる。また、このような溝部が操作されることで、凸状の操作部を設ける構成と比較して、他の部品や指等が接触して意図せずに接着部が回動してしまうことを抑制することができる。
【０００９】
さらに、本発明の抜け防止部材では、前記被接続部品は、端部に設けられた前記第２プラグと、該第２プラグから延びる電線部と、を有する電線部材であって、前記支持部は、前記第１プラグとの間に前記第２プラグを挟み込む押え部を有し、前記押え部には、前記電線部が通過可能な切欠き部が形成されていることが好ましい。
【００１０】
このような構成によれば、押え部によって第１プラグとの間に第２プラグを挟み込むことで、第１プラグと第２プラグとの接続の解除を防止することができる。さらに、押え部に切欠き部が形成されていることで、第１プラグと第２プラグとを接続した後に抜け防止部材を取り付け、切欠き部に電線部を通過させて押え部によって第２プラグのみを押さえることができる。
【００１１】
一方、本発明の感震アダプタは、振動を検知して内部の電気回路を切断するとともに差し込みプラグを備えた感震切断部材と、建物の躯体に設けられたプラグ受けと前記差し込みプラグとの接続が解除されることを防止する抜け防止部材と、を備えた感震アダプタであって、前記感震切断部材が、前記差し込みプラグと、他の電気部品に設けられた差し込みプラグが接続可能なプラグ受けと、当該感震切断部材の差し込みプラグと当該感震切断部材のプラグ受けとを接続する回路部と、加速度を検知して前記回路部を電気的に切断する切断部と、を有し、前記抜け防止部材が、請求項１又は２に記載された抜け防止部材で構成され、前記感震切断部材が前記被接続部品に相当し、前記躯体に設けられたプラグ受けが前記第１プラグに相当し、前記感震切断部材の差し込みプラグが前記第２プラグに相当することを特徴とする。
【００１２】
このような本発明の感震アダプタによれば、抜け防止部材によってプラグ受けと差し込みプラグとの抜け防止性能を向上させるとともに接続を解除しやすくすることができる。さらに、抜け防止部材が建物の躯体に接着されることで、躯体の振動を抜け防止部材によって感震切断部材に伝達しやすくすることができ、躯体が振動した際に切断部を動作させやすくすることができる。このとき、抜け防止部材の支持部が感震切断部材と一体に形成されていることがより好ましく、このような構成によれば、躯体の振動を感震切断部材により伝達しやすくすることができる。
【発明の効果】
【００１３】
以上のような本発明の抜け防止部材及び感震アダプタによれば、接着部が接着面に交差する方向を軸方向として回動可能に設けられていることで、一対のプラグの抜け防止性能を向上させるとともに接続を解除しやすくすることができる。
【図面の簡単な説明】
【００１４】
【図１】本発明の第１実施形態に係る抜け防止部材を示す斜視図である。
【図２】前記抜け防止部材のＩＩ−ＩＩ断面図である。
【図３】前記抜け防止部材の接着部が回動する様子を示す正面図である。
【図４】本発明の第２実施形態に係る抜け防止部材を示す斜視図である。
【図５】本発明の第３実施形態に係る感震アダプタを示す斜視図である。
【図６】前記感震アダプタの裏面を示す斜視図である。
【発明を実施するための形態】
【００１５】
以下、本発明の各実施形態を図面に基づいて説明する。なお、第２、３実施形態においては、第１実施形態で説明する構成部材と同じ構成部材及び同様な機能を有する構成部材には、第１実施形態と同じ符号を付すとともに説明を省略する。
【００１６】
〔第１実施形態〕
本実施形態の抜け防止部材１０は、図１に示すように、建物の躯体の壁面Ｗに設けられた第１プラグとしてのプラグ受けＰ１と、被接続部品としての電線部材Ｅに設けられた第２プラグとしての差し込みプラグＰ２と、の接続が解除されることを防止するものであって、第１部品１０Ａと第２部品１０Ｂとで構成される。第１部品１０Ａと第２部品１０Ｂとは、それぞれ、本体部１１と、躯体の壁面Ｗにおけるプラグ受けＰ１の周辺部Ｗ１に接着される接着部１２と、を備え、互いに略同一の構成を有している。
【００１７】
電線部材Ｅは、端部に設けられた差し込みプラグＰ２と、差し込みプラグＰ２から延びる電線部ＥＷと、を有し、差し込みプラグＰ２との反対側において電線ＥＷが図示しない適宜な電気製品に接続される。差し込みプラグＰ２がプラグ受けＰ１に挿入されて接続されると、躯体の内側に設けられた図示しない電気回路に電線部ＥＷが電気的に接続され、この電気回路から電気製品に電力が供給される。
【００１８】
本体部１１は、例えば弾性変形可能な樹脂によって形成され、電線部材Ｅを支持する支持部１３と、接着部１２を支持する回動支持部１４と、係合突起１５と、複数の係合穴１６と、を有する。
【００１９】
接着部１２は、例えば本体部１１よりも硬質な樹脂によって全体が円盤状に形成されるとともに、図２にも示すように、周辺部Ｗ１に接着される接着面１２１と、その反対側の面である操作面１２２と、を有し、その外周面に沿った孔を有する回動支持部１４に嵌めこまれて回動可能に支持される。即ち、接着部１２は、接着面１２１に略直交する方向を軸方向とし、円の略中心を通るとともにこの方向に沿った回動軸を有して回動可能に支持される。このとき、接着部１２の外周面から突出した凸部１２３が回動支持部１４の内周面に形成された凹部１４１と係合することにより、接着部１２は、本体部１１に対する面直方向への相対移動が規制されつつ回動可能に支持される。また、接着面１２１には、例えば両面テープや接着剤で構成された接着層１２１Ａが設けられている。接着前の接着層１２１Ａは、図示しない保護シートによって覆われるものとする。操作面１２２には、接着面１２１および操作面１２２に沿った一方向に延びる溝部１２４が形成されている。溝部１２４は、その長手方向に沿った断面が円弧状に形成されるとともに、幅寸法が例えば２ｍｍ程度とされており、硬貨によって操作可能に構成されている。
【００２０】
支持部１３は、回動支持部１４から先端に向かって電線部ＥＷを避けるようにＬ字状に延び、プラグ受けＰ１の反対側から差し込みプラグＰ２に当接することによって、差し込みプラグＰ２をプラグ受けＰ１との間に挟み込んで支持するように構成されている。後述するように第１部品１０Ａと第２部品１０Ｂとを組み付けると、２つのＬ字状の支持部１３の間に矩形状の電線挿通孔Ｈ１が形成されるようになっている。
【００２１】
係合突起１５は、躯体の壁面Ｗから離れる方向に突出し、係合穴１６に圧入されることによって係合可能に構成されている。
【００２２】
複数の係合穴１６は、支持部１３の先端近傍に形成されるとともに支持部１３の延在方向に沿って並設される。複数の係合穴１６のうち係合突起１５と係合するものを選択することによって、第１部品１０Ａと第２部品１０Ｂとの相対位置、即ち、接着部１２同士の間隔を調節することができるようになっている。
【００２３】
以下、抜け防止部材１０の取付方法について説明する。まず、差し込みプラグＰ２をプラグ受けＰ１に挿入して接続する。次に、第１部品１０Ａの接着部１２と第２部品１０Ｂの接着部１２とをそれぞれ独立に周辺部Ｗ１に接着する。尚、本実施形態では、プラグ受けＰ１を左右から挟み込む位置を周辺部Ｗ１とするが、周辺部は、プラグ受けＰ１を上下から挟み込む位置であってもよいし、プラグ受けＰ１近傍の樹脂部分であってもよく、プラグ受けＰ１や差し込みプラグＰ２の形状や寸法等に応じて適宜に設定されればよい。次に、支持部１３が差し込みプラグＰ２に当接して支持することができるように、複数の係合穴１６から適宜なものを選択して係合突起１５と係合させる。尚、選択する係合穴１６が予め決まっている場合には、第１部品１０Ａと第２部品１０Ｂとを組み付けた後に、差し込みプラグＰ２をプラグ受けＰ１に挿入し、接着部１２を接着してもよい。
【００２４】
次に、プラグ受けＰ１から差し込みプラグＰ２を引き抜く、即ち、プラグ同士の接続を解除するために、抜け防止部材１０を取り外す方法について説明する。接着部１２が接着された状態において、溝部１２４が例えば図３（Ａ）に示すような向きに延びている場合、適宜な硬貨によって溝部１２４を操作し、例えば図３（Ｂ）に示すような状態にまで接着部１２を回動させる。このような回動によって、接着面１２１の接着層１２１Ａが躯体の壁面Ｗから剥離される。このとき、接着層１２１Ａの接着強さや弾性等に応じた適宜な角度だけ接着部１２を回動させて接着層１２１Ａを剥離すればよい。接着部１２が躯体の壁面Ｗから剥離されることにより、プラグ受けＰ１から差し込みプラグＰ２を引き抜くことができるようになる。
【００２５】
このような本実施形態によれば、以下のような効果がある。即ち、抜け防止部材１０が支持部１３によって差し込みプラグＰ２を支持するとともに、接着部１２において躯体の壁面Ｗの周辺部Ｗ１に接着されることで、接着層１２１Ａの接着強さを適宜に設定することにより、プラグ受けＰ１と差し込みプラグＰ２との接続の解除を防止することができる。さらに、接着部１２が接着面１２１に略直交する方向を軸方向として回動可能に支持されていることで、接着部１２を回動させることにより接着層１２１Ａを周辺部Ｗ１から容易に剥離することができる。このとき、接着層１２１Ａの接着強さを高めて剥離に必要な面直方向の力を大きくしても、接着部１２を回動させることによって容易に剥離することができ、一対のプラグＰ１、Ｐ２の抜け防止性能を向上させるとともに接続を解除しやすくすることができる。
【００２６】
さらに、硬貨によって操作可能な溝部１２４が接着部１２に形成されていることで、容易に接着層１２１Ａを剥離することができる。また、このような溝部１２４が操作されることで、凸状の操作部を設ける構成と比較して、他の部品や指等が接触して意図せずに接着部１２が回動してしまうことを抑制することができる。また、硬貨を用いることで、工具等を必要とせず、利便性を向上させることができる。
【００２７】
また、第１部品１０Ａと第２部品１０Ｂとが組み付けられて２つのＬ字状の支持部１３の間に電線挿通孔Ｈ１が形成されることで、プラグ受けＰ１に差し込みプラグＰ２を挿入した後に抜け防止部材１０を取り付けることができる。
【００２８】
さらに、本体部１１に複数の係合穴１６が形成されて接着部１２同士の間隔を調節可能に構成されていることで、接着部１２の接着位置（即ち、周辺部Ｗ１）を適宜に設定することができ、汎用性を向上させることができる。
【００２９】
〔第２実施形態〕
本実施形態の抜け防止部材２０は、図４に示すように、電装部品箱としてのコンピュータ機器の筐体の側面Ｓに設けられた第１プラグとしてのプラグ受けＰ１と、被接続部品としての電線部材Ｅに設けられた第２プラグとしての差し込みプラグＰ２と、の接続が解除されることを防止するものであって、本体部２１と、筐体の側面Ｓにおけるプラグ受けＰ１の周辺部Ｓ１に接着される２つの接着部２２と、を備える。このコンピュータ機器は、例えばサーバとして用いられ、電線部材Ｅは、コンピュータ機器に電力を供給するための電源ケーブルである。
【００３０】
本体部２１は、例えば樹脂によって形成され、電線部材Ｅを支持する支持部２３と、接着部２２を支持する２つの回動支持部２４と、回動支持部２４の周辺から支持部２３に向かって立設された立設部２５と、を備える。
【００３１】
接着部２２は、前記第１実施形態の接着部１２と同様の構成を有し、回動支持部２４による支持構造も前記第１実施形態と同様である。
【００３２】
支持部２３は、プラグ受けＰ１との間に差し込みプラグＰ２を挟み込む押え部２３１を有し、押え部２３１には、電線部材Ｅの電線部ＥＷが通過可能なＵ字状の切欠き部２３２が形成されている。立設部２５が差し込みプラグＰ２の寸法に応じた適宜な高さに設定されることにより、押え部２３１がプラグ受けＰ１の反対側から差し込みプラグＰ２に当接するように構成されている。尚、切欠き部２３２は、電線部ＥＷの外径よりも大きく開口していればよく、その形状は任意である。
【００３３】
以下、抜け防止部材２０の取付方法について説明する。まず、差し込みプラグＰ２をプラグ受けＰ１に挿入して接続する。次に、電線部材Ｅに対して抜け防止部材２０を図４における上方から近づけていき、切欠き部２３２の開口からその内側に電線部ＥＷを通す。さらに、接着部２２を周辺部Ｓ１に接着する。
【００３４】
このような本実施形態によれば、前記第１実施形態と同様の効果を奏することができる。さらに、押え部２３１に切欠き部２３２が形成されていることで、プラグ受けＰ１に差し込みプラグＰ２を挿入した後に抜け防止部材２０を取り付けることができるとともに、抜け防止部材２０を１つの本体部２１で構成することができ、前記第１実施形態のように２つの部品を組み付ける構成と比較して、部品点数を削減することができる。
【００３５】
〔第３実施形態〕
本実施形態の感震アダプタ３０は、図５、６に示すように、振動を検知して内部の電気回路を切断するとともに第２プラグとしての差し込みプラグＰ３を備えた感震切断部材３１と、建物の躯体の壁面Ｗに設けられたプラグ受けＰ１と差し込みプラグＰ３との接続が解除されることを防止する抜け防止部材３２と、を備える。
【００３６】
感震切断部材３１は、躯体の内側に設けられた電気回路に接続される被接続部品であって、差し込みプラグＰ３と、１つのプラグ受けＰ４と、差し込みプラグＰ３とプラグ受けＰ４とを接続する図示しない回路部と、回路部の接続と切断とを切り換えるためのスイッチノブ３１１と、スイッチノブ３１１を操作する切換機構３１２と、を有する。他の電気部品として第１実施形態のような電線部材Ｅの差し込みプラグＰ１がプラグ受けＰ４に挿入されることで、電線部材Ｅが感震切断部材３１を介して躯体の内側の電気回路に接続される。
【００３７】
スイッチノブ３１１は、例えば図５における左側が押圧された際に回路部を接続し、右側が押圧された際に回路部を切断するように構成されている。
【００３８】
切換機構３１２は、機械式の動作機構を有するものであって、加速度設定部３１２Ａと、スイッチノブ３１１を押圧可能な押圧部３１２Ｂと、スイッチレバー３１２Ｃと、を備える。加速度設定部３１２Ａによって、切換機構が動作する最低の加速度（本実施形態では、震度５強および震度６弱に対応した加速度）を設定することができる。スイッチレバー３１２Ｃを右側に倒すことにより、切換機構３１２が動作可能な状態となる。押圧部３１２Ｂは、図５の奥側に向かって移動することでスイッチノブ３１１の右側を押圧可能に構成されている。
【００３９】
抜け防止部材３２は、感震切断部材３１の左右両側に設けられた２つの本体部３２１Ａ、３２１Ｂと、接着部３２２と、を備える。
【００４０】
２つの本体部３２１Ａ、３２１Ｂは、感震切断部材３１と一体に形成されてその境界部分を支持部とするとともに、それぞれ、上下に並んだ２つの回動支持部３２３を備える。
【００４１】
接着部３２２は、前記第１実施形態の接着部１２と同様の構成を有し、回動支持部３２３による支持構造も前記第１実施形態と同様である。
【００４２】
以下、感震アダプタ３０の使用方法及びその動作の詳細について説明する。まず、差し込みプラグＰ３を躯体の壁面Ｗに設けられたプラグ受けＰ１に挿入しつつ、壁面Ｗにおけるプラグ受けＰ１の周辺部Ｗ２に接着部３２２を接着する。次に、スイッチノブ３１１の左側を押圧して回路部を接続するとともに、加速度設定部３１２Ａによって加速度を設定し、スイッチレバー３１２Ｃを右側に倒して切換機構３１２を動作可能な状態にする。
【００４３】
このような状態において、切換機構３１２は、設定された加速度よりも大きな加速度を検知すると、スイッチレバー３１２Ｃを左側に倒すとともに押圧部３１２Ｂを奥側に移動させ、スイッチノブ３１１の右側を押圧することによって回路部を電気的に切断する。即ち、切換機構３１２とスイッチノブ３１１とが切断部として機能する。回路部が電気的に切断されることで、プラグ受けＰ４に接続された他の電気部品の差し込みプラグへの電力の供給が中断されるようになっている。
【００４４】
回路部を再び接続する場合には、スイッチノブ３１１の左側を押圧すればよく、さらにスイッチレバー３１２Ｃを右側に倒すことによって切換機構３１２が再び動作可能な状態となる。尚、揺れが生じても常に電力供給したい場合には、スイッチノブ３１１の左側を押圧するとともにスイッチレバー３１２Ｃを左側に倒しておけばよい。
【００４５】
このような本実施形態によれば、前記第１、２実施形態と同様の効果を奏することができる。さらに、抜け防止部材３２が躯体の壁面Ｗに接着されることで、躯体の振動を抜け防止部材３２によって感震切断部材３１に伝達しやすくすることができ、躯体が振動した際（即ち、地震発生時）に切換機構３１２を動作させやすくすることができる。
【００４６】
なお、本発明は、前記実施形態に限定されるものではなく、本発明の目的が達成できる他の構成等を含み、以下に示すような変形等も本発明に含まれる。例えば、前記第１実施形態では、硬貨によって操作可能な溝部が接着部１２に形成されるものとしたが、接着部には、ドライバーや六角レンチ等の適宜な工具によって操作可能な溝部または穴部が形成されてもよいし、指で操作可能な凸状の操作部が形成されてもよい。このような操作部が形成される構成では、凸状の操作部が他の部材等と干渉してしまう可能性があるものの、操作するための道具を必要とせず、利便性をさらに向上させることができる。
【００４７】
また、前記第１実施形態では、円盤状の接着部１２がその外周面に沿った回動支持部１４によって回動可能に支持されるものとしたが、接着部は、その中央部が軸支されることによって回動可能に設けられていてもよく、この構成においては、接着部材の外周形状は任意である。
【００４８】
また、前記第３実施形態では、感震アダプタ３０が機械式の感震切断部材３１を備えるものとしたが、感震切断部材は、例えば、加速度を検知して電気信号を送信する信号送信部と、この電気信号を受信して回路部を電気的に切断する切断部と、を有する電気式のものであってもよく、その動作機構は任意である。
【００４９】
また、前記第３実施形態では、感震アダプタ３０が１つのプラグ受けＰ４を有するものとしたが、感震アダプタは、複数のプラグ受けを有し、テーブルタップとしても機能するものであってもよい。
【００５０】
また、前記第１〜３実施形態では、第１プラグおよび第２プラグとしてプラグ受けおよび差し込みプラグを例示したが、これらのプラグの形状は任意であり、例えばＵＳＢ端子であってもよい。また、第１プラグおよび第２プラグは、電力を供給するためのものに限らず、信号を送受信するためのものであってもよく、例えば、音声信号用の端子であってもよいし、映像信号用の端子であってもよい。また、第１プラグおよび第２プラグは、一方が雄側のプラグであって他方が雌側のプラグであればよい。
【００５１】
その他、本発明を実施するための最良の構成、方法などは、以上の記載で開示されているが、本発明は、これに限定されるものではない。すなわち、本発明は、主に特定の実施形態に関して特に図示され、且つ、説明されているが、本発明の技術的思想および目的の範囲から逸脱することなく、以上述べた実施形態に対し、形状、材質、数量、その他の詳細な構成において、当業者が様々な変形を加えることができるものである。従って、上記に開示した形状、材質などを限定した記載は、本発明の理解を容易にするために例示的に記載したものであり、本発明を限定するものではないから、それらの形状、材質などの限定の一部、もしくは全部の限定を外した部材の名称での記載は、本発明に含まれるものである。
【符号の説明】
【００５２】
１０        抜け防止部材
１２        接着部
１２１      接着面
１２４      溝部
１３        支持部
２３１      押え部
２３２      切欠き部
３０        感震アダプタ
３１        感震切断部材
３１１      スイッチノブ（切断部）
３１２      切換機構（切断部）
Ｐ１        プラグ受け（第１プラグ）
Ｐ２        差し込みプラグ（第２プラグ）
Ｐ３        差し込みプラグ（第２プラグ）
Ｐ４        プラグ受け
Ｗ          躯体の壁面
Ｗ１        周辺部
Ｓ          筐体の側面
Ｓ１        周辺部
【図１】
2016081618.tif 000003
【図２】
2016081618.tif 000004
【図３】
2016081618.tif 000005
【図４】
2016081618.tif 000006
【図５】
2016081618.tif 000007
【図６】
2016081618.tif 000008